(57)【要約】【課題】音量を上げてもバランスのとれた再生音が得られ、喧噪したホールでも充分な音量の効果音を遊技者に伝達することができると共に、不正行為の防止を図ることのできる遊技機を提供する。【解決手段】遊技機１０の筐体内部に配設されることによって閉塞空間Ｓ１を形成する共鳴部材４０にスピーカ４５及び貫通孔４６を設けて音響再生手段３１とする。この共鳴部材４０によって少なくとも遊技装置４１〜４３等の左右側方と筐体１１とが互いに隔てられるようにすると共に、閉塞空間Ｓ１内に互い違いに張り出した仕切り板４０Ｅ，４０Ｆを設けて迷路状の通路４８を形成する。【選択図】  図４
2004236757.tif 000002
【特許請求の範囲】
【請求項１】
箱型状に形成される筐体と、遊技状態に応じた効果音を出力する音響再生手段とを備えた遊技機において、
前記音響再生手段は、スピーカと、該スピーカの後段に密接している共鳴部材とで構成され、
前記共鳴部材は、少なくとも前記筐体内の左右側面に沿って閉塞空間を形成し、且つ前記閉塞空間に互い違いに張り出された複数の仕切り板によって迷路状の通路が形成されていることを特徴とする遊技機。
【請求項２】
前記共鳴部材は、少なくとも前記筐体の左右側面を共用して閉塞空間を形成していることを特徴とする請求項１記載の遊技機。
【請求項３】
前記共鳴部材は、前記筐体の左右側面及び上面に沿って略コ字状に形成されており、前記筐体の左右側面及び上面を共用して閉塞空間を形成していることを特徴とする請求項１記載の遊技機。
【請求項４】
前記共鳴部材の何れかに前記閉塞空間に連通する貫通孔が形成されていることを特徴とする請求項１に記載の遊技機。
【請求項５】
前記仕切り板は、前記筐体、或いは前記共鳴部材に対して着脱可能に支持されていることを特徴とする請求項１に記載の遊技機。
【発明の詳細な説明】
【０００１】
【発明の属する技術分野】
この発明は、遊技機に関するもので、特にスロットマシーン等の箱型遊技機の音響及び不正防止に関するものである。
【０００２】
【従来の技術】
一般に、遊技機は、遊技状態に応じて様々な演出効果を高めるために効果音が出力されるように構成されている。そして、特許文献１に記載されている回胴式遊技機にあっては、複数列のリールの外周面に描かれた図柄が予め設定されている組み合わせになって入賞すると効果音が出力されるようになっている。
【０００３】
【特許文献１】
特開２００１−２１２２８５号公報（図２）
【０００４】
ところで、上述した従来の遊技機によれば、図５に示されるように、遊技機１の筐体内部には効果音を出力するためのスピーカ２が取り付けられているが、このスピーカ２は遊技機１の前面を開閉する開閉パネル３の裏面側に裸のまま取り付けられている。そのため、この遊技機１においては、音量を増大しようとすると、スピーカ２から出力された再生音の低音域が不足気味となり、高音域が強調されたバランスの悪い効果音となってしまうという問題があった。
そして、音量を上げると高音域がさらに強くなり遊技者に不快感を与えるため、スピーカ２の音量は絞らざるをえなくなり、そのため、喧噪した遊技場（ホール）では充分な音量の効果音を遊技者に伝達することができないという問題が生じてしまう。
【０００５】
また、スピーカ２が裸のまま取り付けられているため、例えば、開閉パネル３のスピーカ穴等の隙間から差し込まれた鋭利な工具によってスピーカ２のコーンに穴があけられたり、或いは主に筐体の側面が穿孔工具等によって穴があけられて、そこから遊技機１の筐体内部に針金等の細工物が差し入れられて、ホッパー４や各種の制御基盤（図示略）、或いは電源装置５等に不正行為が行われてしまうという問題があった。
【０００６】
本発明は、上記従来の遊技機の問題点に鑑みてなされたものであり、バランスのとれた再生音が得られ、喧噪したホールでも充分な音量の効果音を遊技者に伝達することができると共に、不正行為の防止を図ることのできる遊技機を提供することを目的とする。
【０００７】
【課題を解決するための手段】
上記目的を達成するために第１の発明は、箱型状に形成される筐体と、遊技状態に応じた効果音を出力する音響再生手段とを備えた遊技機において、
前記音響再生手段は、スピーカと、該スピーカの後段に密接している共鳴部材とで構成され、前記共鳴部材は、少なくとも前記筐体内の左右側面に沿って閉塞空間を形成し、且つ前記閉塞空間に互い違いに張り出された複数の仕切り板によって迷路状の通路が形成されていることを特徴とする。
【０００８】
また、第２の発明は、第１の発明の構成に加えて、前記共鳴部材は、少なくとも前記筐体の左右側面を共用して閉塞空間を形成していることを特徴とする。
【０００９】
これらの構成による遊技機によれば、スピーカを備えた共鳴部材が筐体内に配設されると、筐体内の左右側面にはそれぞれ迷路状の通路を伴った閉塞空間が形成されている。
これにより、スピーカから出力された再生音が共鳴部材によって共鳴されるので、再生音、特に低音特性が乱れなくなると共に、スピーカの最低共振周波数特性が改善されるので、バランスのとれた再生音が得られるようになり、喧噪したホールでも充分な音量の効果音を遊技者に伝達することができるようになる。しかも、筐体は、共鳴部材が配設されることによって筐体内の左右側面に迷路状の通路を伴った閉塞空間が形成されているので、たとえ、筐体の側面に穴があけられたとしてもそれ以上筐体内部にアクセスすることはできなくなり、不正行為の防止をより強化することが可能となる。
【００１０】
また、第３の発明は、上記第１の発明の構成に加えて、前記共鳴部材は、前記筐体の左右側面及び上面に沿って略コ字状に形成されており、前記筐体の左右側面及び上面を共用して閉塞空間を形成していることを特徴とする。
【００１１】
この構成による遊技機によれば、スピーカを備えた共鳴部材が筐体内に配設されると、筐体内の左右側面及び上面に沿って閉塞空間が形成される。
これにより、バランスのとれた再生音が得られるようになり、喧噪したホールでも充分な音量の効果音を遊技者に伝達することができるようになる。しかも、筐体は、共鳴部材が配設されることによって筐体内の左右側面及び上面に沿って閉塞空間が形成されるので、たとえ、筐体の側面、或いは上面に穴があけられたとしてもそれ以上筐体内部にアクセスすることはできなくなり、不正行為の防止をより強化することが可能となる。
【００１２】
第４の発明は、上記第１の発明の構成に加えて、前記共鳴部材の何れかに前記閉塞空間に連通する貫通孔が形成されていることを特徴とする。
【００１３】
この構成による遊技機によれば、筐体内部に配設される共鳴部材には貫通孔が設けられている。
これにより、スピーカから閉塞空間内に出力された効果音は、迷路状の通路を伝わったのち貫通穴を通って筐体外に放出されて、スピーカの前面側に出力された効果音と合わせられる。そのことによって、共鳴部材からはフラットな音響特性が得られるようになると共に低音再生限界周波数が広められるので、スピーカの低音特性が改善されて豊かな再生音、特に豊かな重低音が得られるようになり、バランスのとれた再生音が得られるようなり、喧噪したホールでも充分な音量の効果音を遊技者に伝達することができる。しかも、共鳴部材に貫通孔が形成されても、その貫通穴からはそれ以上筐体内部にアクセスすることはできないので、不正行為の防止が損なわれることはない。
【００１４】
第５の発明は、上記第１の発明の構成に加えて、前記仕切り板は、前記筐体、或いは前記共鳴部材に対して着脱可能に支持されていることを特徴とする。
【００１５】
この構成による遊技機によれば、閉塞空間内の仕切り板は、筐体、或いは共鳴部材に対して着脱可能に支持されている。これにより、スピーカの背面側から閉塞空間に向かって出力された再生音は、その再生音が伝達される通路の長さが仕切り板によって可変される。そのため、再生音の共鳴速度が可変されるので、残響や余韻等の多種多彩な新たな効果音の表現が可能となると共に、設置場所に応じた最適な音響特性を得ることができるようになる。しかも、仕切り板は、筐体、或いは共鳴部材の何れかに支持されて迷路状の通路を形成しているので、着脱可能に構成しても不正の防止が損なわれることはない。
【００１６】
【発明の実施の形態】
以下、この発明の最も好適と思われる第１の実施形態について図面を参照しながら詳細に説明を行う。
図１は、本発明が適用される遊技機の外観を説明するための正面図、図２は、同例における遊技機の前面側に取り付けられた開閉パネルの裏面図、図３は、同例における遊技機の内部構造を説明するための内部構造図、図４は、図１中のＡ−Ａ矢視側断面図である。
【００１７】
まず、本発明が適用される遊技機の外観について説明する。
図１に示されるように、遊技機１０は、例えば具体的な一例を挙げると回胴式遊技機、すなわちスロットマシーンであって、正面視が縦長のほぼ矩形状となるように形成された筐体１１の前面側を開閉可能とする開閉パネル１２の中央部には、素通しのリール窓部１３が配設され、筐体１１内部に配設された複数列からなる第１〜第３のリール１４，１５，１６（図１中、一点鎖線で示す）の外周面に描かれた複数種類の図柄がリール窓部１３を通して外部から視認できるようになっている。
【００１８】
このリール窓部１３の右手前側には、メダル投入口１７が設けられ、このメダル投入口１７にメダルを投入するとゲームが開始される。また、メダル投入口１７の下方側には、イジェクトボタン１８が設けられており、このイジェクトボタン１８を押圧操作すると、メダル投入口１７に投入したメダルがダクト１９（図２に図示）を介して直ちに強制排出される。
【００１９】
さらに、リール窓部１３の左手前側には、次のゲームに使用できるメダル枚数を設定するための押圧操作がなされる各種のボタン、つまり、メダル１枚投入用の１ベットボタン２０、２枚投入用の２ベットボタン２１、３枚投入用のベットボタン２２がそれぞれ配置されている。これら各ボタン２０〜２２の下方側には、スタートレバー２３が上下方向に向かって揺動可能に取り付けられており、このスタートレバー２３を押圧操作すると第１〜第３のリール１４〜１６が一斉に回転を始める。
【００２０】
これら第１〜第３のリール１４〜１６の回転は、図示しない制御手段によって制御され、所定回転数以上に達すると、リール窓部１３の下方側に取り付けられた第１〜第３のリール１４〜１６にそれぞれ対応する第１〜第３のストップボタン２４〜２６を押圧操作することによって、それぞれのリール１４〜１６の回転が停止される。
【００２１】
また、スタートレバー２３を押圧操作すると、第１〜第３のリール１４〜１６の回転が開始されるだけでなく、図示しない制御部によって役の設定がなされ、そのチャンス予告演出は、リール窓部１３の上方側に取り付けられた補助表示画面２７を通じて行われると共に、補助表示画面２７の上方及びリール窓部１３の左右両側に配置された演出効果部２８，２９，３０によって視覚的な演出効果がなされるだけでなく、図３に示されるように、筐体１１内部に形成される音響再生手段３１によって効果音が出力されて聴覚的にも遊技者に伝達される。なお、この音響再生手段３１については後述する。
【００２２】
ところで、この音響システム３１から出力された効果音は、図２に示されるように、開閉パネル１２の４隅に開口形成された開口穴３２〜３５等を通して筐体１１の前面側に放出される。これらの開口穴３２〜３５は、図１に示されるように、異物挿入防止及びデフューザー（音響レンズ）を兼ね備えたスリットや蜂の巣状の細孔等によってその前面側が覆われている。
【００２３】
なお、補助表示画面２７に表示されるのは、上述したチャンス予告演出だけではなく、図示しない制御手段によって、獲得枚数表示やボーナス確定表示等、多種多彩で視覚的な演出表示がなされるように設定されている。
【００２４】
また、リール窓部１３の下方側には、図１に示されるように、その機種のイメージキャラクタが描かれたタイトルパネル３６が配設されていると共に、このタイトルパネル３６の左右下方側には、機種の型式認定紙及びキャラクタの許諾証（図示略）がそれぞれ貼られるようになっている。そして、タイトルパネル３６よりも下方側には、メダル払出口３７から吐出されるメダルを受け止めて貯留するメダル受け部３８が一体的に取り付けられている。このメダル受け部３８の左側部には、灰皿３９が設けられている。
【００２５】
次に、この遊技機１０の筐体内部構造について説明する。
図３，４に示されるように、遊技機１０の外殻をなす筐体１１は、左右側面部１１Ａ，Ｂ、上下面部１１Ｃ，Ｄおよび背面部１１Ｅから構成されており、その筐体内部には、筐体内部に配設されることによって閉塞空間Ｓ１を画成する共鳴部材４０が配設されている。
【００２６】
共鳴部材４０は、図３，４に示されるように、筐体１１の左側面部１１Ａに所定距離をあけて配置される仕切り板４０Ａと、右側面部１１Ｂに所定距離をあけて配置される仕切り板４０Ｂと、これら仕切り板４０Ａ，４０Ｂの上端部間に架橋され、上面部１１Ｃに所定距離をあけて配置される仕切り板４０Ｃと、これら仕切り板４０Ａ〜４０Ｃの前端側と筐体１１との間に配置される正面視が門形状の前面パネル板４０Ｄとから構成されている。
【００２７】
仕切り板４０Ａ〜４０Ｃの後端部は、図４に示されるように、筐体１１の背面部１１Ｅに接合されるように延設されているが、このような形態に限られるものではなく、背面部１１Ｅに所定距離をあけて配置される図示しない仕切り板を設けるようにしてもよい。
【００２８】
そして、筐体内部に共鳴部材４０が配置されることによって形成された閉塞空間Ｓ１とは異なる空間Ｓ２、つまり筐体１１の下面部１１Ｄと仕切り板４０Ａ〜４０Ｃとによって筐体中央部に画成された正面視が矩形状の空間Ｓ２には、遊技装置としての第１〜第３のリール１４〜１６及びそれらを支持するリール支持部４１、リール支持部４１の下方側に配置されて入賞に応じて払い出すメダルを貯留するホッパー４２、電源装置４３等が収納配置されている。
【００２９】
そのため、これら遊技装置４１〜４３等は、仕切り板４０Ａ，４０Ｂによって筐体１１の左右側面部１１Ａ，１１Ｂから隔てられていると共に、仕切り板４０Ｃによって筐体１１の上面部１１Ｃから隔てられており、筐体１１を含めて外部から２重に遮断されている。
【００３０】
なお、図３に示されるように、閉塞空間Ｓ１と空間Ｓ２との境界は共鳴部材４０によって正面視が矩形状となるように形成されているが、このような形態に限られるものではなく、例えば、遊技装置４１〜４３との干渉を回避するために画成部材４０の各形状を適宜変形させることによって、正面視がアーチ形状となるように形成してもよい。
【００３１】
このような共鳴部材４０の前面パネル板４０Ｄには、筐体１１の前面側を開閉する開閉パネル１２や筐体１１の右側面部１１Ｂの内側に取り付けられた施錠部材４４，４４（図３に図示）と干渉することがないように凹凸状に加工が施されている。
【００３２】
さらに、図３に示されるように、この前面パネル板４０Ｄの右下方側、すなわち、仕切り板４０Ｂと右側面部１１Ｂとによって挟まれた前面パネル板４０Ｄの下方側にはスピーカ４５が取り付けられている。
【００３３】
このスピーカ４５は、図示しない制御装置によって遊技状態に応じた効果音が出力されるように設定されているものであって、その正面側が、前面パネル板４０Ｄの前方側、すなわち開閉パネル１２の裏面側に対向するように取り付けられている。そして、このスピーカ４５を取り付けるスペースが最大限に確保されるように、仕切り板４０Ｂの下端部は空間Ｓ２内に向かって張り出されるように形成されている（図３参照）。
【００３４】
前面パネル板４０Ｄの左下方側には、閉塞空間Ｓ１と外部とを連通するための所定径状の貫通孔４６が開口形成されており、スピーカ４５の背面側から出力された再生音が閉塞空間Ｓ１を通って貫通孔４６から放出されるように構成されている。
【００３５】
前面パネル板４０Ｄの裏面側には、図４に示されるように、閉塞空間Ｓ１に向かってほぼ水平となるように張り出された仕切り板４０Ｅが複数設けられている。これらの仕切り板４０Ｅは、閉塞空間Ｓ１を閉ざすことがないような張り出し長と、筐体１１の左側面部１１Ａと仕切り板４０Ａとの対向面間、或いは、筐体１１の右側面部１１Ｂと仕切り板４０Ｂとの対向面間にそれぞれ配設されるような横幅とが規定されており、それら仕切り板４０Ｅの前端部が前面パネル板４０Ｄの裏面側に片持ち状に支持されている。
【００３６】
さらに閉塞空間Ｓ１には、筐体１１の背面部１１Ｅからほぼ水平となるように張り出された仕切り板４０Ｆが、仕切り板４０Ｅと互い違いとなるように複数設けられている。これらの仕切り板４０Ｆは、仕切り板４０Ｅと同様に、閉塞空間Ｓ１を閉ざすことがないような張り出し長と、筐体１１の左側面部１１Ａと仕切り板４０Ａとの対向面間、或いは、筐体１１の右側面部１１Ｂと仕切り板４０Ｂとの対向面間にそれぞれ配設されるような横幅とが規定されており、それら仕切り板４０Ｆの後端部が背面部１１Ｅの前面側に片持ち状に支持されている。
【００３７】
なお、これらの仕切り板４０Ｅ，４０Ｆは、前面パネル板４０Ｄ、或いは背面部１１Ｅに一体的に設けられるだけのものではなく、前面パネル板４０Ｄ側、或いは背面部１１Ｅ側から閉塞空間Ｓ１に向かって抜き差し可能となるような可動式の仕切り板として構成することもできる。また、可動式の仕切り板が差し込まれていない前面パネル板４０Ｄ、或いは背面部１１Ｅには、音漏れ防止用のグロメット４７が着脱可能に装着される。
【００３８】
これにより、閉塞空間Ｓ１には、図３，４に示されるように、仕切り板４０Ｅ，４０Ｆによって迷路状の通路４８が形成される。この通路４８は、仕切り板４０Ｅ，４０Ｆによって前後方向に蛇行を繰り返しながら上下方向に沿って形成されており、スピーカ４５の背面側から出力された効果音は、この蛇行した通路４８を通過したのち貫通孔４６から放出される。
【００３９】
そのことによって、筐体１１には、バックローデッド式のスピーカボックスとしての音響再生手段３１が構成される。この音響再生手段３１にあっては、スピーカ４５の前面側から出力される再生音はそのまま遊技機１０の前面側に出力されると共に、スピーカ４５の背面側から出力される再生音は、迷路状の通路４８通って貫通孔４９から遊技機１０の前面側に出力される。そのため、この音響再生手段３１からは、フラットな音響特性が得られると共に、スピーカ４５の低音再生限界周波数をｆ０（最低共振周波数）近くまで広めることができて、低音特性をのばすことができるようになり、再生音域が改善される。
【００４０】
そして、上述のように構成された遊技機１０においては、遊技者によってメダル投入口１７にメダルが投入されてスタートレバー２３が押圧操作されると各リール１４〜１６が一斉に回転を始める。これら第１〜第３のリール１４〜１６が予め設定された速度に達すると第１〜第３のストップボタン２４〜２６の押圧操作が有効になり、遊技者によって押圧操作された第１〜第３のストップボタン２４〜２６に応じた第１〜第３のリール１４〜１６の回転が停止される。そして、入賞ライン上に停止された各リール１４〜１６の図柄の組み合わせが予め設定された配当表示の組み合わせと一致すると、その組み合わせの種類に応じた当たり入賞が得られて、メダル払出口３７から所定枚数のメダルが払い出されると共に、演出効果部２８〜３０によって視覚的な演出効果がなされ、音響システム３１からは効果音が出力される。そして、音響システム３１から出力される効果音は、スピーカ４５の低音再生限界が広められており、豊かな再生音、特に豊かな重低音が出力される。
【００４１】
そのため、かかる構成を備えた本発明の遊技機によれば、筐体内部に配設される共鳴部材４０には、スピーカ４５と貫通孔４６とが設けられている。そして、この共鳴部材４０が配設されることによって形成された閉塞空間Ｓ１には、複数の仕切り板４０Ｅ，４０Ｆによって迷路状の通路４８が形成される共に、この共鳴部材４０の仕切り板４０Ａ，４０Ｂが少なくとも遊技装置１０の左右側面部１１Ａ，１１Ｂと筐体１１とを互いに隔てている。これにより、スピーカ４５から閉塞空間Ｓ１内に向かって出力された効果音は、迷路状の通路４８を伝わったのち貫通孔４６を通って外部に放出されて、スピーカ４５の前面側に出力された効果音と合わせられる。そのことによって、スピーカ４５からはフラットな音響特性が得られるようになると共に低音再生限界周波数が広められるので、スピーカ４５の低音特性が改善されて豊かな再生音、特に豊かな重低音が得られるようになり、バランスのとれた再生音が得られるので、喧噪したホールでも充分な音量の効果音を遊技者に伝達することができるようになる。しかも、筐体内に収納される遊技装置４１〜４３等は、その左右側方が筐体１１と共鳴部材４０の仕切り板４０Ａ，４０Ｂとによって外部から２重に遮断されるので、たとえ、スピーカ４５のコーンや筐体１１に穿孔工具、たとえば熱ドリル等によって穴があけられたとしても、その穴からはそれ以上筐体内部にアクセスすることが防止されると共に、仕切り板４０Ｅ，４０Ｆが閉塞空間内に異物が侵入された際の抵抗体となるので、不正行為の防止をより一層強化することが可能となる。
【００４２】
また、本発明の遊技機によれば、閉塞空間Ｓ１内の仕切り板４０Ｅ，４０Ｆは、共鳴部材４０に対して着脱可能に支持されている。これにより、スピーカ４５の背面側から閉塞空間Ｓ１に向かって出力された再生音は、その再生音が伝達される通路４８の長さが仕切り板４０Ｅ，４０Ｆによって可変される。そのため、再生音の共鳴速度が可変されるので、残響や余韻等の多種多彩な新たな効果音の表現が可能となると共に、設置場所に応じた最適な音響特性を得ることができるようになる。しかも、仕切り板４０Ｅ，４０Ｆは、筐体１１、或いは共鳴部材４０の何れかに支持されて迷路状の通路４８を形成しているので、着脱可能に構成しても不正の防止が損なわれることはない。
【００４３】
ところで、音響再生手段３１の形態は、上述した形態に限られたものではなく、再生音のさらなる向上や不正行為の防止、及び筐体１１内部に配設される遊技装置４１〜４３等の形状に応じて、細部の形状を適宜変更してもよい。
【００４４】
すなわち、前面パネル板４０Ｄに取り付けられるスピーカ４５は、前面パネル板４５Ｄの右下方側にのみ取り付けられるものではなく、右下方側とは異なる位置にも取り付けることができる。また、前面パネル板４０Ｄに取り付けられるのは、単独のスピーカ４５のみに限定されるものではなく、他のスピーカを取り付けてマルチウェイシステムを構成することもできる。
【００４５】
また、共鳴部材４０は、遊技装置４１〜４３等との干渉を回避する共に最大限のスピーカ容積が得られるように、湾曲形成されたり、或いは凹凸状に形成されてもよい。さらに、この共鳴部材４０は、木製、金属製、或いは合成樹脂製のうち、少なくとも何れか１つから形成されるのが好ましいが、筐体１１よりも硬質な材質であればなお良い。
【００４６】
それらの結果、バランスのとれた再生音が得られ、喧噪したホールでも充分な音量の効果音を遊技者に伝達することができると共に、不正行為の防止を図ることのできる遊技機を提供することができる。
【００４７】
なお、本遊技機は、スロットマシーンにのみ適用されるものではなく、箱形遊技機全てに適用することができる。
【００４８】
【発明の効果】
以上述べたように、本発明の遊技機によれば、筐体内部に配設される共鳴部材４０には、スピーカ４５と貫通孔４６とが設けられている。そして、この共鳴部材４０が配設されることによって共鳴された閉塞空間Ｓ１には、複数の仕切り板４０Ｅ，４０Ｆによって迷路状の通路４８が形成される共に、この共鳴部材４０の仕切り板４０Ａ，４０Ｂが少なくとも遊技装置１０の左右側面部１１Ａ，１１Ｂと筐体１１とを互いに隔てている。これにより、スピーカ４５から閉塞空間Ｓ１内に向かって出力された効果音は、迷路状の通路４８を伝わったのち貫通孔４６を通って外部に放出されて、スピーカ４５の前面側に出力された効果音と合わせられるので、スピーカ４５からはフラットな音響特性が得られるようになると共に低音再生限界周波数が広められ、スピーカ４５の低音特性が改善されて豊かな再生音、特に豊かな重低音が得られるようになり、バランスのとれた再生音が得られるので、喧噪したホールでも充分な音量の効果音を遊技者に伝達することができるようになる。しかも、筐体内に収納される遊技装置４１〜４３等は、その左右側方が筐体１１と共鳴部材４０の仕切り板４０Ａ，４０Ｂとによって外部から２重に遮断されるので、例え、スピーカ４５のコーンや筐体１１に穿孔工具によって穴があけられたとしても、その穴からはそれ以上筐体内部にアクセスすることはできなくなるうえに、仕切り板４０Ｅ，４０Ｆが閉塞空間内に異物が侵入された際の抵抗体となるので、不正行為の防止をより一層強化することが可能となる。
【００４９】
また、本発明の遊技機は、閉塞空間Ｓ１内の仕切り板４０Ｅ，４０Ｆは、共鳴部材４０に対して着脱可能に支持されている。これにより、スピーカ４５の背面側から閉塞空間Ｓ１に向かって出力された再生音は、その再生音が伝達される通路４８の長さが仕切り板４０Ｅ，４０Ｆによって可変されるので、共鳴速度が可変されて残響や余韻等の多種多彩な新たな効果音の表現が可能となると共に、設置場所に応じた最適な音響特性を得ることができるようになる。しかも、仕切り板４０Ｅ，４０Ｆは、筐体１１、或いは共鳴部材４０の何れかに支持されて迷路状の通路４８を形成しているので、着脱可能に構成しても不正の防止が損なわれることはない。
【図面の簡単な説明】
【図１】本発明が適用される遊技機の外観を説明するための正面図である。
【図２】同例における遊技機の前面側に取り付けられた開閉パネルの裏面図である。
【図３】同例における遊技機の筐体内部構造を説明するための内部構造図である。
【図４】図１中のＡ−Ａ矢視側断面図である。
【図５】従来の遊技機を説明するための説明図である。
【符号の説明】
１０  遊技機
１１  筐体
３０  音響再生手段
４０  共鳴部材
４０Ｅ，４０Ｆ  仕切り板
４１〜４３  遊技装置
４５  スピーカ
４６  貫通孔
４８  通路
Ｓ１  閉塞空間
【図１】
2004236757.tif 000003
【図２】
2004236757.tif 000004
【図３】
2004236757.tif 000005
【図４】
2004236757.tif 000006
【図５】
2004236757.tif 000007